(57)【要約】      （修正有）【課題】レンズ系全体が小型で、広画角で全ズーム範囲で高い光学性能が容易に得られるズームレンズを提供する。【解決手段】物体側より像側へ順に配置された、負の屈折力の第１レンズ群Ｌ１、正の屈折率の第２レンズ群Ｌ２、１つ以上のレンズ群を有する後群ＬＲより構成され、ズーミングに際して隣り合うレンズ群の間隔が変化するズームレンズにおいて、第１レンズ群は物体側から像側へ順に配置されたメニスカス形状の負レンズＧ１、メニスカス形状の負レンズＧ２を有し、負レンズＧ１の像側のレンズ面の曲率半径をＧ１Ｒ２、負レンズＧ２の像側のレンズ面の曲率半径をＧ２Ｒ２、第１レンズ群の厚みをＤ１、広角端におけるバックフォーカスをｂｆｗ、広角端における全系の焦点距離をｆｗとするとき、１．５＜Ｇ１Ｒ２／Ｇ２Ｒ２＜４．０、４．０＜Ｄ１／ｆｗ＜１０．０、０．５０＜ｂｆｗ／ｆｗ＜１．９５なる条件式を満足する。【選択図】図１
2019174510.tif 000002
【特許請求の範囲】
【請求項１】
物体側より像側へ順に配置された、負の屈折力の第１レンズ群、正の屈折率の第２レンズ群、１つ以上のレンズ群を有する後群より構成され、ズーミングに際して隣り合うレンズ群の間隔が変化するズームレンズにおいて、
前記第１レンズ群は物体側から像側へ順に配置されたメニスカス形状の負レンズＧ１、メニスカス形状の負レンズＧ２を有し、
前記負レンズＧ１の像側のレンズ面の曲率半径をＧ１Ｒ２、前記負レンズＧ２の像側のレンズ面の曲率半径をＧ２Ｒ２、前記第１レンズ群の厚みＤ１、広角端におけるバックフォーカスをｂｆｗ、広角端における全系の焦点距離をｆｗとするとき、
１．５＜Ｇ１Ｒ２／Ｇ２Ｒ２＜４．０
４．０＜Ｄ１／ｆｗ＜１０．０
０．５０＜ｂｆｗ／ｆｗ＜１．９５
なる条件式を満足することを特徴とするズームレンズ。
【請求項２】
前記第１レンズ群の焦点距離をｆ１、前記第２レンズ群の焦点距離をｆ２とするとき、
０．５＜｜ｆ１／ｆ２｜＜２．０
なる条件式を満足することを特徴とする請求項１に記載のズームレンズ。
【請求項３】
前記第１レンズ群は、前記負レンズＧ２の像側に隣接して配置された負レンズＧ３を有し、
前記負レンズＧ３の像側のレンズ面の曲率半径をＧ３Ｒ２とするとき、
０．６＜Ｇ２Ｒ２／Ｇ３Ｒ２＜２．０
なる条件式を満足することを特徴とする請求項１または２に記載のズームレンズ
【請求項４】
前記負レンズＧ２の物体側のレンズ面の曲率半径をＧ２Ｒ１とするとき、
１．２＜（Ｇ２Ｒ１＋Ｇ１Ｒ２）／（Ｇ２Ｒ１―Ｇ１Ｒ２）＜１０．０
なる条件式を満足することを特徴とする請求項１乃至３のいずれか１項に記載のズームレンズ。
【請求項５】
前記第１レンズ群は、前記負レンズＧ２の像側に隣接して配置された負レンズＧ３を有し、
前記負レンズＧ３の材料の屈折率をＮｄ１３、前記負レンズＧ３の材料のアッベ数をνｄ１３とするとき、
１．５５＜Ｎｄ１３＜１．６５
６５＜νｄ１３＜７５
なる条件式を満足することを特徴とする請求項１乃至４のいずれか１項に記載のズームレンズ。
【請求項６】
ズーミングに際して前記第１レンズ群は移動し、
広角端から望遠端へのズーミングにおける前記第１レンズ群の移動量をＭ１とし、移動量の符号を広角端に比べて望遠端において物体側に位置するときを正、像側に位置するときを負とするとき、
−３．０＜Ｍ１／ｆｗ＜１．０
なる条件式を満足することを特徴とする請求項１乃至５のいずれか１項に記載のズームレンズ。
【請求項７】
前記第１レンズ群は、物体側から像側へ順に配置された３枚以上の負レンズと１枚の正レンズを有することを特徴とする請求項１乃至６のいずれか１項に記載のズームレンズ。
【請求項８】
前記第２レンズ群は、負レンズと正レンズを接合した接合レンズを有することを特徴とする請求項１乃至７のいずれか１項に記載のズームレンズ。
【請求項９】
前記後群は、正の屈折力の第３レンズ群より構成されることを特徴とする請求項１乃至８のいずれか１項に記載のズームレンズ。
【請求項１０】
前記後群は、物体側から像側へ順に配置された、負の屈折力の第３レンズ群、正の屈折力の第４レンズ群より構成されることを特徴とする請求項１乃至８のいずれか１項に記載のズームレンズ。
【請求項１１】
請求項１乃至１０のいずれか１項に記載のズームレンズと該ズームレンズによって形成された像を受光する撮像素子を有することを特徴とする撮像装置。
【請求項１２】
広角端における有効像円径が望遠端における有効像円径よりも小さいことを特徴とする請求項１１に記載の撮像装置。
【発明の詳細な説明】
【技術分野】
【０００１】
本発明はズームレンズ及び撮像装置に関する。
【背景技術】
【０００２】
近年、撮像素子を用いた撮像装置に用いられる撮像光学系には広画角で小型のズームレンズが要望されている。更に沈胴時のカメラ厚みが薄くなる様に各レンズ群のレンズ枚数が少なく、レンズ厚が薄いこと等が要求されている。
【０００３】
全系が小型で広画角のズームレンズとして、負の屈折力のレンズ群が先行する（最も物体側に位置する）ネガティブリード型のズームレンズが知られている（特許文献１、２）。
【０００４】
特許文献１では、物体側より像側へ順に、負、正、正の屈折力の第１レンズ群乃至第３レンズ群よりなり、隣り合うレンズ群の間隔を変化させてズーミングを行うズームレンズを開示している。特許文献２では物体側から像側へ順に、負、正、負、正の屈折力の第１レンズ群乃至第４レンズ群からなり、隣り合うレンズ群の間隔を変化させてズーミングを行うズームレンズを開示している。
【０００５】
一方、近年のデジタルスチルカメラやビデオカメラといった撮像装置においては、諸収差のうち歪曲収差や色収差を電気的な画像処理で補正する事も行われている。この様な補正処理を活用する事でレンズ枚数の削減した小型のズームレンズが提案されている。
【先行技術文献】
【特許文献】
【０００６】
【特許文献１】特開２０１６−２０６２５７号公報
【特許文献２】特開２０１６−１２６２８２号公報
【発明の概要】
【発明が解決しようとする課題】
【０００７】
ネガティブリード型のズームレンズは広画角化及び全系の小型化が有利であるが、レンズ系全体が非対称となるため、ズーミングに伴う諸収差の変動が大きく全ズーム範囲にわたり高い光学性能を得るのが難しい。ネガティブリード型のズームレンズにおいて、全系の小型化を図りつつ広画角で全ズーム範囲で画面全体にわたり高い光学性能を得るには、各レンズ群の屈折力やレンズ構成等を適切に設定することが重要になってくる。
【０００８】
一般にネガティブリード型のズームレンズにおいて広画角化を図るには第１レンズ群の負の屈折力を強めれば良い。しかしながら第１レンズ群の負の屈折力を強めると広画角化に伴って諸収差、特に歪曲収差が増大してくる。このため、全系の小型化及び広画角化を図るには第１レンズ群の負の屈折力及び第１レンズ群に含まれる負レンズのレンズ枚数やレンズ形状等を適切に設定することが重要になってくる。
【０００９】
本発明は、レンズ系全体が小型で、広画角で全ズーム範囲で高い光学性能が容易に得られるズームレンズ及びそれを有する撮像装置の提供を目的とする。
【課題を解決するための手段】
【００１０】
本発明のズームレンズは、物体側より像側へ順に配置された、負の屈折力の第１レンズ群、正の屈折率の第２レンズ群、１つ以上のレンズ群を有する後群より構成され、ズーミングに際して隣り合うレンズ群の間隔が変化するズームレンズにおいて、
前記第１レンズ群は物体側から像側へ順に配置されたメニスカス形状の負レンズＧ１、メニスカス形状の負レンズＧ２を有し、前記負レンズＧ１の像側のレンズ面の曲率半径をＧ１Ｒ２、前記負レンズＧ２の像側のレンズ面の曲率半径をＧ２Ｒ２、前記第１レンズ群の厚みＤ１、広角端におけるバックフォーカスをｂｆｗ、広角端における全系の焦点距離をｆｗとするとき、
１．５＜Ｇ１Ｒ２／Ｇ２Ｒ２＜４．０
４．０＜Ｄ１／ｆｗ＜１０．０
０．５０＜ｂｆｗ／ｆｗ＜１．９５
なる条件式を満足することを特徴としている。
【発明の効果】
【００１１】
本発明によれば、レンズ系全体が小型で、広画角で全ズーム範囲で高い光学性能が容易に得られるズームレンズが得られる。
【図面の簡単な説明】
【００１２】
【図１】実施例１のズームレンズの広角端におけるレンズ断面図
【図２】実施例１のズームレンズの広角端、中間のズーム位置、望遠端における収差図
【図３】実施例２のズームレンズの広角端におけるレンズ断面図
【図４】実施例２のズームレンズの広角端、中間のズーム位置、望遠端における収差図
【図５】実施例３のズームレンズの広角端におけるレンズ断面図
【図６】実施例３のズームレンズの広角端、中間のズーム位置、望遠端における収差図
【図７】実施例４のズームレンズの広角端におけるレンズ断面図
【図８】実施例４のズームレンズの広角端、中間のズーム位置、望遠端における収差図
【図９】実施例５のズームレンズの広角端におけるレンズ断面図
【図１０】実施例５のズームレンズの広角端、中間のズーム位置、望遠端における収差図
【図１１】ズームレンズを搭載する撮像装置（デジタルカメラ）の要部概略図
【発明を実施するための形態】
【００１３】
以下に、本発明の好ましい実施の形態を、添付の図面に基づいて説明する。本発明のズームレンズは、物体側より像側へ順に配置された、負の屈折力の第１レンズ群、正の屈折率の第２レンズ群、１つ以上のレンズ群を有する後群より構成され、ズーミングに際して隣り合うレンズ群の間隔が変化する。
【００１４】
図１は実施例１のズームレンズの広角端（短焦点距離端）におけるレンズ断面図である。図２（Ａ）、（Ｂ）、（Ｃ）はそれぞれ実施例１のズームレンズの広角端、中間焦点距離、望遠端（長焦点距離端）における収差図である。実施例１はズーム比２．２６、開口比（Ｆナンバー）４．１２、広角端における撮影半画角６４．６度程度のズームレンズである。
【００１５】
図３は実施例２のズームレンズの広角端におけるレンズ断面図である。図４（Ａ）、（Ｂ）、（Ｃ）はそれぞれ実施例２のズームレンズの広角端、中間焦点距離、望遠端における収差図である。実施例２はズーム比２．３６、開口比４．１２、広角端における撮影半画角６０．５度程度のズームレンズである。
【００１６】
図５は実施例３のズームレンズの広角端におけるレンズ断面図である。図６（Ａ）、（Ｂ）、（Ｃ）はそれぞれ実施例３のズームレンズの広角端、中間焦点距離、望遠端における収差図である。実施例３はズーム比２．２４、開口比４．１２、広角端における撮影半画角６４．６度程度のズームレンズである。
【００１７】
図７は実施例４のズームレンズの広角端におけるレンズ断面図である。図８（Ａ）、（Ｂ）、（Ｃ）はそれぞれ実施例４のズームレンズの広角端、中間焦点距離、望遠端における収差図である。実施例４はズーム比２．２６、開口比４．１２、広角端における撮影半画角６４．６度程度のズームレンズである。
【００１８】
図９は実施例５のズームレンズの広角端におけるレンズ断面図である。図１０（Ａ）、（Ｂ）、（Ｃ）はそれぞれ実施例５のズームレンズの広角端、中間焦点距離、望遠端における収差図である。実施例５はズーム比２．２６、開口比４．１２、広角端における撮影半画角６４．６度程度のズームレンズである。図１１は本発明の撮像装置の要部概略図である。
【００１９】
各実施例のズームレンズはビデオカメラやデジタルカメラ等の撮像装置に用いられる撮像光学系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは１つ以上のレンズ群を有する後群である。ＳＰはＦナンバー光束を制限する開口絞りである。ＦＰ１、ＦＰ２は各々有害光をカットするフレアーカット絞り（補助絞り）である。
【００２０】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。レンズ断面図において、矢印は広角端から望遠端へのズーミングに際しての各レンズ群の移動軌跡を示している。フォーカスに関する矢印は無限遠から近距離へのフォーカシングに際してのレンズ群の移動方向を示す。
【００２１】
収差図のうち、球面収差図においては実線のｄはｄ線（波長５８７．６ｎｍ）と二点鎖線のｇはｇ線（波長４３５．８ｎｍ）について示している。非点収差図において、点線のＭはｄ線のメリディオナル像面、実線のＳはｄ線のサジタル像面である。倍率色収差はｇ線によって表している。ωは半画角（度）、ＦｎｏはＦナンバーである。尚、以下の各実施例において広角端と望遠端は変倍用レンズ群が機構上光軸上を移動可能な範囲の両端に位置したときのズーム位置をいう。
【００２２】
実施例１乃至３、５において後群ＬＲは、正の屈折力の第３レンズ群Ｌ３より構成されている。実施例１乃至３、５では広角端から望遠端へのズーミングに際して矢印に示すように第１レンズ群Ｌ１は像側へ凸状の軌跡を描いて移動している。これにより広角端におけるレンズ全長を短くし、前玉有効径の小型化を図りつつ、高いズーム比が得られるようにしている。また第２レンズ群Ｌ２は物体側に移動している。
【００２３】
ズーミングに際して第２レンズ群Ｌ２を物体側に移動させることにより、第２レンズ群Ｌ２に変倍分担を持たせている。第３レンズ群Ｌ３は像面側へ移動している。また、第３レンズ群Ｌ３を光軸上移動させてフォーカシングを行うリアフォーカス方式を採用している。
【００２４】
第３レンズ群Ｌ３に関する実線の曲線３ａと点線の曲線３ｂは各々無限遠と近距離にフォーカスしているときの広角端から望遠端へのズーミングに伴う際の像面変動を補正するための移動軌跡を示している。望遠端において無限遠から近距離へフォーカスを行う場合には矢印３ｃに示すように第３レンズ群Ｌ３を前方に繰り出すことによって行っている。
【００２５】
実施例４において後群ＬＲは、負の屈折力の第３レンズ群Ｌ３と正の屈折力の第４レンズ群Ｌ４より構成されている。実施例４では広角端から望遠端へのズーミングに際して矢印に示すように第１レンズ群Ｌ１は像側へ凸状の軌跡を描いて移動している。これにより広角端におけるレンズ全長を短くし、前玉有効径の小型化を図りつつ、高いズーム比が得られるようにしている。また第２レンズ群Ｌ２は物体側に移動している。
【００２６】
ズーミングに際して第２レンズ群Ｌ２を物体側に移動させることにより、第２レンズ群Ｌ２に変倍分担を持たせている。第３レンズ群Ｌ３は物体側へ移動し、第４レンズ群Ｌ４は像側へ移動している。第４レンズ群Ｌ４を光軸上移動させてフォーカシングを行うリアフォーカス方式を採用している。第４レンズ群Ｌ４に関する実線の曲線４ａと点線の曲線４ｂは各々無限遠と近距離にフォーカスしているときの広角端から望遠端へのズーミングに伴う際の像面変動を補正するための移動軌跡を示している。
【００２７】
望遠端において無限遠から近距離へフォーカスを行う場合には矢印４ｃに示すように第４レンズ群Ｌ４を前方に繰り出すことによって行っている。尚、実施例４では第３レンズ群Ｌ３を後方に繰り込むことによってフォーカスを行うようにしても良い。補助絞りＦＰ１はズーミングに際して他のレンズ群と異なった軌跡で移動する。開口絞りＳＰは補助絞りＦＰ２はズーミングに際して第２レンズ群Ｌ２と一体的に（同じ軌跡で）移動する。
【００２８】
各実施例のズームレンズは、レンズ全長が短く、全系が小型でありながら、撮像画角１００度を超える超広画角で歪曲収差の少ない良好な光学性能を有している。超広画角を達成するためには、広角端において入射光束を発散させることが出来る第1レンズ群が負の屈折力よりなるネガティブリードタイプが有利である。
【００２９】
しかしながら、所定のズーム比を得ようとすると、各レンズ群の移動量が大きくなりやすく、レンズ全体が大型化してくる。その為、広画角化、高ズーム比を図りつつ、全系の小型化を達成するために各実施例のズームレンズでは正の屈折力のレンズ群を像側へ配置する構成とし、各レンズ群に変倍分担を持たせている。また一般的に広画角化を図ると、第１レンズ群の負の屈折力が強まるため、特に広角側において歪曲収差、コマ収差、像面湾曲が増加してくる。
【００３０】
そこで各実施例では、第１レンズ群に物体側から像側へ順にメニスカス形状の負レンズを少なくとも２枚配置し、これによって歪曲収差やコマ収差の発生を低減している。また、２枚のメニスカス形状の負レンズの像側のレンズ面の曲率半径を適切にすることで、撮像画角１００度を超える広画角でありながら、広角側において像面湾曲、歪曲収差を良好に補正している。
【００３１】
また、第１レンズ群Ｌ１内のレンズ構成を適切に設定することにより、全系が小型でありながら超広角化を達成している。さらに、ズームレンズを広画角化するとそれに応じてバックフォーカスが短くなりやすく、センサー（撮像素子）へ入射する光線の入射角度がきつくなりテレセントリック性が低下してくる。その影響で広角側において像面湾曲が増加する。
【００３２】
そこで広角端におけるバックフォーカスの長さと焦点距離を適切に設定し、レンズ全長の短縮を図りつつ、所定の長さのバックフォーカスを確保することで、テレセントリック性を良くし、高い光学性能を得ている。
【００３３】
各実施例において、第１レンズ群Ｌ１は物体側から像側へ順に配置されたメニスカス形状の負レンズＧ１、メニスカス形状の負レンズＧ２を有している。負レンズＧ１の像側のレンズ面の曲率半径をＧ１Ｒ２、負レンズＧ２の像側のレンズ面の曲率半径をＧ２Ｒ２、第１レンズ群の厚みＤ１、広角端におけるバックフォーカスをｂｆｗ、広角端における全系の焦点距離をｆｗとする。このとき、
１．５＜Ｇ１Ｒ２／Ｇ２Ｒ２＜４．０  ・・・（１）
４．０＜Ｄ１／ｆｗ＜１０．０        ・・・（２）
０．５０＜ｂｆｗ／ｆｗ＜１．９５    ・・・（３）
なる条件式を満足する。
【００３４】
尚、本件で言うレンズ面の曲率半径とは、球面の場合はその近軸曲率半径、非球面の場合は広角端における物体距離無限時の軸上の光線が通る有効範囲で算出した参照球面半径と定義する。
【００３５】
各実施例では第１レンズ群Ｌ１のレンズ構成、レンズ面の曲率半径、レンズ群厚み及びバックフォーカス等を適切に定めることで、撮像画角１００度を超える超広角化と全系の小型化を図りつつ諸収差、特に歪曲収差の少ない高画質なズームレンズを得ている。
【００３６】
以下、前述の各条件式の技術的な説明をする。条件式（１）は、第１レンズ群Ｌ１内の物体側から像側へ順に配置された２枚のメニスカス形状の負レンズＧ１、負レンズＧ２の像側のレンズ面の曲率半径の比を規定している。条件式（１）は特に広角側において倍率色収差、像面湾曲、歪曲収差等を良好に補正するためのものである。
【００３７】
条件式（１）の下限値を下回ると、主に倍率色収差と像面湾曲が増加する。また、負レンズＧ１の像側のレンズ面の開角が大きくなるため、レンズの加工が困難となる。一方、条件式（１）の上限値を上回ると、負レンズＧ１が大型化し、全系の小型化が困難になる。また、有効径の大きい負レンズＧ１による倍率色収差、歪曲収差、像面湾曲等の補正効果が薄れ、これらの諸収差の補正が困難となる。さらに、負レンズＧ２の像側のレンズ面の開角が大きくなるため、レンズの加工が困難となる。
【００３８】
条件式（２）は全系の小型化及び超広角化を図るために、第１レンズ群Ｌ１の光軸上の厚さＤ１および、広角端における全系の焦点距離ｆｗの比を適切に定めている。条件式（２）の下限値を下回ると、広画角化した際の倍率色収差、歪曲収差、像面湾曲等の諸収差の第１レンズ群Ｌ１による補正効果が少なくなり、広画角化が困難となる。一方、条件式（２）の上限値を上回ると、広画角化した際に第１レンズ群Ｌ１のレンズ群厚みが大きくなり、全系の小型化が困難になる。
【００３９】
条件式（３）は、広角端におけるバックフォーカスと広角端における全系の焦点距離の比を適切に規定し、レンズ全長の短縮化を達成するためのものである。条件式（３）は特にレンズ全長、像面湾曲、コマ収差等の諸収差を良好に補正するためのものである。条件式（３）の下限値を下回り、バックフォーカスが短くなると、レンズ全長は短くなるが、像面湾曲の補正が困難となる。また、撮像面に入る光束の入射角度がきつくなるため、色ムラや周辺光量が低下してくる。一方、条件式（３）の上限値を上回り、バックフォーカスが長くなるとレンズ全長が増大するため好ましくない。また、コマ収差、歪曲収差の補正が困難となる。
【００４０】
各実施例では以上の如く構成することにより、全系が小型でありながら、撮像画角１００度を超える超広角で、かつ、歪曲収差の少ない高画質なズームレンズを得ている。尚、各実施例において、収差補正上更に好ましくは、条件式（１）乃至（３）の数値範囲を次の如く設定するのが良い。
【００４１】
１．５５＜Ｇ１Ｒ２／Ｇ２Ｒ２＜４．００  ・・・（１ａ）
４．０＜Ｄ１／ｆｗ＜８．０              ・・・（２ａ）
０．８０＜ｂｆｗ／ｆｗ＜１．９５        ・・・（３ａ）
【００４２】
より更に好ましくは、条件式（１ａ）乃至（３ａ）の数値範囲を次の如く設定するのが良い。
１．６０＜Ｇ１Ｒ２／Ｇ２Ｒ２＜４．００  ・・・（１ｂ）
４．０＜Ｄ１／ｆｗ＜７．０              ・・・（２ｂ）
１．００＜ｂｆｗ／ｆｗ＜１．９２        ・・・（３ｂ）
【００４３】
各実施例において更に好ましくは次の条件式のうち１つ以上を満足するのが良い。第１レンズ群Ｌ１の焦点距離をｆ１、第２レンズ群Ｌ２の焦点距離をｆ２とする。第１レンズ群Ｌ１には、負レンズＧ２の像側に隣接して配置された負レンズＧ３を有し、負レンズＧ３の像側のレンズ面の曲率半径をＧ３Ｒ２とする。負レンズＧ２の物体側のレンズ面の曲率半径をＧ２Ｒ１とする。負レンズＧ３の材料の屈折率をＮｄ１３、負レンズＧ３の材料のアッベ数をνｄ１３とする。
【００４４】
ズーミングに際して第１レンズ群Ｌ１は移動し、広角端から望遠端へのズーミングにおける第１レンズ群Ｌ１の移動量をＭ１とする。レンズ群の移動量の符号は広角端から望遠端へのズーミングによって移動した結果、その位置が広角端に比べて望遠端において物体側に位置するときを正、像側に位置するときを負とする。このとき、以下の条件式のうち１つ以上を満足することが好ましい。
【００４５】
０．５＜｜ｆ１／ｆ２｜＜２．０      ・・・（４）
０．６＜Ｇ２Ｒ２／Ｇ３Ｒ２＜２．０  ・・・（５）
１．２＜（Ｇ２Ｒ１＋Ｇ１Ｒ２）／（Ｇ２Ｒ１―Ｇ１Ｒ２）＜１０．０・・・（６）
１．５５＜Ｎｄ１３＜１．６５        ・・・（７）
６５＜νｄ１３＜７５                ・・・（８）
−３．０＜Ｍ１／ｆｗ＜１．０        ・・・（９）
【００４６】
次に前述の各条件式の技術的意味について説明する。条件式（４）は全系の小型化を図るために、第１レンズ群Ｌ１の焦点距離と第２レンズ群Ｌ２の焦点距離の比を適切に規定している。
【００４７】
条件式（４）の下限を超えて第１レンズ群Ｌ１の負の焦点距離の絶対値が第２レンズ群Ｌ２の正の焦点距離の絶対値に比べて小さくなりすぎると、バックフォーカスが長くなり、結果的にレンズ全長が長くなり、全系の小型化が困難になる。条件式（４）の上限を超えて第１レンズ群Ｌ１の負の焦点距離の絶対値が第２レンズ群Ｌ２の正の焦点距離の絶対値に比べて大きくなりすぎると、前玉有効径が増大してくる。また、バックフォーカスが短くなるため、像面湾曲の補正が困難になる。
【００４８】
条件式（５）は、第１レンズ群Ｌ１内の物体側から像側へ順に第２番目の負レンズＧ２の像側のレンズ面の曲率半径と第３番目の負レンズＧ３の像側のレンズ面の曲率半径の比を規定している。特に広角側において倍率色収差、像面湾曲、歪曲収差等を良好に補正するためのものである。条件式（５）の下限値を下回ると、主に広角端のズーム付近において倍率色収差と像面湾曲が増加する。また、負レンズＧ３の像側のレンズ面の開角が大きくなるため、レンズの加工が困難となる。
【００４９】
一方、条件式（５）の上限値を上回ると、負レンズＧ２が大型化し、全系の小型化が困難になる。また、有効径の大きい負レンズＧ２による倍率色収差、歪曲収差、像面湾曲等の補正が困難となる。さらに、負レンズＧ３の像側のレンズ面の開角が大きくなるため、レンズの加工が困難となる。
【００５０】
条件式（６）は超広角化を図りつつ歪曲収差を良好に補正するために、第１レンズＧ１と第２レンズＧ２で形成される空気間隔のシェイプファクター（形状）を適切に定めている。条件式（６）の下限値を下回ると、広角端において歪曲収差および倍率色収差の補正が困難になる。また、負レンズおよび負レンズＧ２の有効径が大型化してしまい、全系の小型化が困難になる。条件式（６）の上限値を上回ると、負レンズＧ１と負レンズＧ２による主に広角端のズーム付近における像面湾曲の補正が困難となる。また負レンズＧ１の像側のレンズ面の開角が大きくなり、加工が困難となる。
【００５１】
条件式（７）、（８）は前玉有効径の小型化を図りつつ、広角端のズーム付近における倍率色収差の補正を良好に行うためのものである。条件式（７）、（８）は第１レンズ群Ｌ１中の負レンズＧ３の材料の屈折率およびアッベ数を規定している。条件式（７）の下限値を下回ると、負レンズＧ３の有効径が大きくなり、広画角化していくと前玉有効径が大きくなり、全系の小型化が困難になる。条件式（７）の上限値を上回ると、第１レンズ群Ｌ１内の負の屈折力が大きくなりすぎて、主に像面湾曲が正の方向に増大し、この補正が困難となる。
【００５２】
条件式（８）の下限値を下回ると、広角端のズーム付近において倍率色収差の補正が困難となる。条件式（８）の上限値を上回ると、望遠端のズーム付近において倍率色収差の補正が困難となる。
【００５３】
条件式（９）は全系の小型化を図りつつ、高ズーム比化を図るために、ズーミングにおける第１レンズ群Ｌ１の移動量と広角端における全系の焦点距離の比を適切に定めたものである。条件式（９）の下限値を下回ると、広角端におけるレンズ全長が長くなり、また前玉有効径が大きくなるため、全系の小型化が困難になる。また有効径が大きい第１レンズ群Ｌ１の移動量が大きくなるため、ズーミングに際して像揺れが増大してくるので良くない。条件式（９）の上限値を上回ると、望遠端におけるレンズ全長が長くなり、各レンズ群を沈胴した際の全系の小型化が困難になる。
【００５４】
尚、各実施例において、収差補正上更に好ましくは、条件式（４）乃至（９）の数値範囲を次の如く設定するのが良い。
【００５５】
０．５１＜｜ｆ１／ｆ２｜＜２．００      ・・・（４ａ）
０．６５＜Ｇ２Ｒ２／Ｇ３Ｒ２＜２．００  ・・・（５ａ）
１．３＜（Ｇ２Ｒ１＋Ｇ１Ｒ２）／（Ｇ２Ｒ１―Ｇ１Ｒ２）＜８．０・・・（６ａ）
１．５７＜Ｎｄ１３＜１．６５            ・・・（７ａ）
６６．０＜νｄ１３＜７５．０            ・・・（８ａ）
−３．０＜Ｍ１／ｆｗ＜０．８０          ・・・（９ａ）
【００５６】
より更に好ましくは、条件式（４ａ）乃至（９ａ）の数値範囲を次の如く設定するのが良い。
０．５１５＜｜ｆ１／ｆ２｜＜１．５００  ・・・（４ｂ）
０．６５＜Ｇ２Ｒ２／Ｇ３Ｒ２＜１．５０  ・・・（５ｂ）
１．４＜（Ｇ２Ｒ１＋Ｇ１Ｒ２）／（Ｇ２Ｒ１―Ｇ１Ｒ２）＜４．３・・・（６ｂ）
１．５８＜Ｎｄ１３＜１．６３            ・・・（７ｂ）
６６．０＜νｄ１３＜７１．０            ・・・（８ｂ）
−２．８＜Ｍ１／ｆｗ＜０．６０          ・・・（９ｂ）
【００５７】
各実施例において更に好ましくは、第１レンズ群Ｌ１は広角端において倍率色収差、歪曲収差を補正しつつ、全系の小型化を図るために、物体側から像側へ順に３枚以上の負レンズと１以上の正レンズで構成するのが良い。また、前玉有効径の小型化のためには第１レンズ群Ｌ１および、第２レンズ群Ｌ２のレンズ群間に補助絞りＦＰ１を配置し、ズーミングに際して各レンズ群とは別体で移動させることが好ましい。
【００５８】
さらに、ズーム全域で倍率色収差を良好に補正するために、第２レンズ群Ｌ２内に負レンズと正レンズを接合した接合レンズを配置するのが良い。
【００５９】
尚、各実施例のズームレンズを有する撮像装置においては、諸収差のうち歪曲収差の補正を電気的な画像処理によって補正しても良い。特に広角側は撮像素子の有効撮像範囲に対して望遠側に比べて小さい撮像範囲とし、歪曲収差の補正をしても良く、これによれば、前玉有効径の小型化が容易になる。即ち、広角端における有効像円径が望遠端における有効像円径よりも小さいことが良い。
【００６０】
各実施例においては、像ぶれ補正に際して第２レンズ群Ｌ２を光軸に対し垂直方向の成分を持つように移動させている。即ち光軸に対し垂直方向に像を変移させても良い。これによればズームレンズ全体が振動（傾動）したときの撮影画像のぶれを良好に補正することができる。
【００６１】
各実施例では、可変頂角プリズム等の光学部材や防振のためのレンズ群を新たに付加することなく防振を行うようにし、これによって全体が大型化するのを防止している。なお、各実施例では第２レンズ群Ｌ２の全体または一部を光軸と垂直方向に移動させて防振を行っているが、移動方式は第２レンズ群Ｌ２を光軸に対して垂直方向の成分を持つように移動させれば、画像のぶれを補正することができる。
【００６２】
例えば鏡筒構造の複雑化を許容すれば、光軸上に回転中心を持つように第２レンズ群Ｌ２を回動させて防振を行っても良い。なお、各実施例において開口絞りＳＰはズーミングに際して第２レンズ群Ｌ２と一体移動している。また、補助絞りＦＰ１を第１レンズ群Ｌ１および第２レンズ群Ｌ２の間に配置し、各レンズ群とは別体で移動させている。
【００６３】
これにより、広角端近傍に付近における第１レンズ群Ｌ１および第２レンズ群Ｌ２の有効レンズ径の小型化を行い、超広角化かつ小型化を実現している。第１レンズ群Ｌ１の有効レンズ径を小型化するためには、第１レンズ群Ｌ１を構成するレンズの数が少ない方が好ましい。
【００６４】
実施例１、２、４、５では第１レンズ群Ｌ１は物体側から像側へ順に、負、負、負、正レンズの４枚のレンズで構成し、実施例３では負、負、負、負、正レンズの５枚のレンズで構成している。これにより第１レンズ群Ｌ１を小型にしつつ、超広角化に伴い発生する倍率色収差を良好に補正している。小型化のためには第１レンズ群Ｌ１内の負レンズはすべて物体側に凸面を向けた負メニスカスレンズあることが好ましい。
【００６５】
実施例１乃至３、５では第２レンズ群Ｌ２は正レンズ、負レンズ、正レンズ、負レンズと正レンズを接合した接合レンズ、負レンズより構成している。実施例４では正レンズ、負レンズ、正レンズ、負レンズと正レンズを接合した接合レンズより構成している。第２レンズ群Ｌ２中に負レンズと正レンズを接合した接合レンズを用いることにより、ズーム全域における倍率色収差を良好に補正している。第２レンズ群Ｌ２は１以上の非球面を有している。これにより、望遠端における球面収差を良好に補正している。
【００６６】
実施例１乃至３、５では第３レンズ群Ｌ３を１枚の正レンズより構成している。実施例４では第３レンズ群Ｌ３を１枚の負レンズで構成している。これにより、小型化かつ高ズーム比化を図っている。実施例１乃至５ではフォーカスレンズ群を１枚の正レンズで構成している。これにより、フォーカスレンズ群の高速化、軽量化を図っている。
【００６７】
各実施例では以上のように各レンズ群を構成することによって、全系が小型でありながら撮像画角１００°を超える超広画角で歪曲収差が比較的少なく良好な光学性能のズームレンズ及びそれを有する撮像装置を得ている。
【００６８】
次に本発明のズームレンズを撮像光学系として用いた撮像装置（デジタルカメラ）の実施例を図１１を用いて説明する。図１１において、３０はカメラ本体、３１は実施例１乃至５で説明したいずれかのズームレンズによって構成された撮像光学系である。３２はカメラ本体に内蔵され、撮像光学系３１によって形成された被写体像を受光するＣＣＤセンサやＣＭＯＳセンサ等の固体撮像素子（光電変換素子）である。３３は固体撮像素子３２によって光電変換された被写体像に対応する情報を記録するメモリである。
【００６９】
このように本発明のズームレンズをデジタルスチルカメラやビデオカメラ等の撮像装置に適用することにより、小型で高い光学性能を有する撮像装置が実現できる。尚、各実施例のズームレンズは投射装置（プロジェクタ）用の投射光学系として用いることもできる。
【００７０】
次に、本発明の実施例１乃至５に対応する数値データ１乃至５を示す。各数値データにおいて、ｉは物体からの面の順番を示す。ｒｉはレンズ面の曲率半径、ｄｉは第ｉ面と第ｉ＋１面との間の面を示す。ｎｄｉ、νｄｉはそれぞれｄ線を基準とした第ｉ番目の光学部材の屈折率と、アッベ数である。  各実施例において、バックフォーカス（ＢＦ）はレンズ最終面から近軸像面までの距離を空気換算長により表したものである。
【００７１】
レンズ全長は最も物体側のレンズ面から最終レンズ面までの距離にバックフォーカスを加えたものである。非球面形状は光軸からの高さｈの位置での光軸方向の変位を面頂点を基準にしてｘとする。
【００７２】
このとき、
x＝（ｈ2／Ｒ）／[１+{１−(１+K)(ｈ/Ｒ)2}1/2]＋A4ｈ4＋A6ｈ6＋A8ｈ8＋A10ｈ10
で表される。但し、Kは円錐定数、A4、A6、A8、A10は4次、6次、8次、10次の非球面係数、Ｒは近軸曲率半径である。又、「ｅ−Ｘ」は「×１０−X」を意味している。非球面は各表中の面番号の右側に＊印を付している。又、前述の各条件式と各実施例との関係を表１に示す。 
【００７３】
［数値データ１］
単位 mm
面データ
面番号       r        d      nd         νd
1         27.760    1.45   1.69680    55.5           
2         12.883    5.06                             
3         25.811    0.80   1.76802    49.2           
4*         7.127    4.61                             
5         34.587    0.80   1.59201    67.0           
6*        10.672    3.01                             
7         14.389    3.40   1.85478    24.8           
8         32.090   (可変)                             
9(補助絞り）∞     (可変)                             
10(開口絞り) ∞      1.87                             
11         11.769    2.20   1.67270    32.1           
12        -11.941    0.80                             
13         -8.543    0.45   1.91082    35.3           
14         15.090    0.80                             
15(補助絞り）∞      0.00                             
16*         9.866    3.60   1.49710    81.6           
17*        -9.602    0.50                             
18         13.370    0.50   1.88300    40.8           
19          6.822    5.50   1.49700    81.5           
20        -11.865    0.93                             
21*      -248.215    0.70   1.85135    40.1           
22*        16.554  (可変)                             
23*        17.945    4.50   1.53110    55.9           
24*      -129.766  (可変)                             
25          ∞       1.00   1.51633    64.1           
26          ∞       1.00                             
像面        ∞   
【００７４】
非球面データ
第4面
K =-2.44642e+000  A 4= 3.34698e-004  A 6=-1.84192e-006  A 8= 2.29346e-008  A10=-7.80820e-012  
第6面
K = 0.00000e+000  A 4= 5.36206e-005  A 6=-2.61064e-006  A 8= 6.29865e-010  
第16面
K = 0.00000e+000  A 4=-4.15358e-004  A 6= 2.49230e-006  A 8=-7.82238e-008  
第17面
K = 0.00000e+000  A 4=-7.31779e-005  A 6= 1.09202e-006  A 8=-5.51957e-008  
第21面
K = 0.00000e+000  A 4=-6.91130e-005  A 6=-3.30701e-006  
第22面
K = 0.00000e+000  A 4= 1.83165e-004  A 6=-1.98407e-006  A 8= 1.17227e-008  
第23面
K = 0.00000e+000  A 4= 3.05014e-005  A 6=-6.34422e-007  
第24面
K = 0.00000e+000  A 4= 3.17843e-004  A 6=-5.87782e-006  A 8= 2.40121e-008  
【００７５】
各種データ
ズーム比     2.26 
広角     中間     望遠
焦点距離       3.77     6.50     8.52  
Fナンバー      4.12     4.12     4.12  
半画角（度）  60.08    49.07    42.81  
像高           6.55     7.50     7.89  
レンズ全長    67.90    64.36    65.51  
BF             6.32     5.32     4.75  
d 8           13.17     4.99     1.50  
d 9            4.30     2.07     2.05  
d22            2.63    10.50    15.72  
d24            4.66     3.66     3.09  
レンズ群データ
群  始面    焦点距離  
1    1      -9.12  
2    9       ∞    
3   10      15.61  
4   23      30.00  
5   25       ∞    
【００７６】
［数値データ２］
単位 mm
面データ
面番号       r        d      nd         νd
1         21.480    1.45   1.69680    55.5           
2         12.646    4.18                             
3         20.816    0.80   1.76802    49.2           
4*         7.870    5.38                             
5        794.407    0.80   1.59201    67.0           
6*         9.511    2.81                             
7         13.254    3.00   1.85478    24.8           
8         29.321   (可変)                             
9(補助絞り）∞     (可変)                             
10(開口絞り) ∞       0.18                             
11         16.049    2.20   1.67270    32.1           
12        -12.666    0.80                             
13         -8.162    0.45   1.91082    35.3           
14         25.396    0.80                             
15(補助絞り）∞      0.00                             
16*        10.834    3.10   1.49710    81.6           
17*        -8.707    0.50                             
18         11.602    0.50   1.88300    40.8           
19          6.895    5.50   1.49700    81.5           
20        -40.481    2.00                             
21*        -7.545    0.70   1.85135    40.1           
22*       -12.165  (可変)                             
23*        16.007    4.50   1.53110    55.9           
24*     -3101.840  (可変)                             
25          ∞       1.00   1.51633    64.1           
26          ∞       1.00                             
像面        ∞   
【００７７】
非球面データ
第4面
K =-2.44642e+000  A 4= 3.66963e-004  A 6=-2.58745e-006  A 8= 1.64207e-008  A10= 2.25860e-011  
第6面
K = 0.00000e+000  A 4= 2.19393e-005  A 6=-9.44009e-008  A 8=-2.52417e-008  
第16面
K = 0.00000e+000  A 4=-2.51606e-004  A 6= 6.69996e-007  A 8=-3.52122e-008  
第17面
K = 0.00000e+000  A 4=-8.74102e-005  A 6= 2.67674e-006  A 8=-1.02348e-009  
第21面
K = 0.00000e+000  A 4= 1.75660e-003  A 6=-2.17583e-005  
第22面
K = 0.00000e+000  A 4= 1.68633e-003  A 6=-1.99741e-005  A 8= 1.65009e-008  
第23面
K = 0.00000e+000  A 4= 5.34164e-005  A 6=-3.02585e-008  
第24面
K = 0.00000e+000  A 4= 2.33932e-004  A 6=-1.46642e-006  A 8= 3.64524e-010  
【００７８】
各種データ
ズーム比     2.36 
広角     中間     望遠
焦点距離       4.50     6.09    10.60  
Fナンバー      4.12     4.12     4.12  
半画角（度）  55.51    50.89    36.67  
像高           6.55     7.50     7.89  
レンズ全長    67.40    65.33    69.07  
BF             5.57     5.52     4.75  
d 8           12.82     4.26     1.50  
d 9            4.59     7.26     3.22  
d22            4.77     8.64    19.95  
d24            3.91     3.86     3.09  
レンズ群データ
群  始面    焦点距離  
1    1      -9.12  
2    9       ∞    
3   10      15.61  
4   23      30.00  
5   25       ∞    
【００７９】
［数値データ３］
単位 mm
面データ
面番号       r        d      nd         νd
1         26.228    1.45   1.80400    46.6           
2         16.057    6.20                             
3         91.128    0.70   1.58313    59.4           
4*         7.142    3.60                             
5         24.994    0.80   1.59522    67.7           
6*         9.631    3.90                             
7         45.524    0.50   1.59282    68.6           
8         15.678    0.10                             
9         14.070    3.00   1.95375    32.3           
10         71.270   (可変)                             
11(補助絞り）∞     (可変)                             
12(開口絞り) ∞      0.50                             
13         13.680    2.20   1.60342    38.0           
14        -10.766    0.54                             
15         -7.428    0.45   1.91082    35.3           
16        415.684    0.80                             
17(補助絞り）∞      0.00                             
18          7.803    0.45   1.91082    35.3           
19          6.530    3.00   1.49700    81.5           
20*        -8.112    1.10                             
21          9.999    3.50   1.49700    81.5           
22         -5.268    0.45   1.80400    46.6           
23         34.953    1.40                             
24        -70.025    0.70   1.58313    59.4           
25*       229.017  (可変)                             
26       -318.666    3.00   1.53110    55.9           
27*       -14.236  (可変)                             
28          ∞       1.00   1.51633    64.1           
29          ∞       1.00                             
像面        ∞   
【００８０】
非球面データ
第4面
K =-2.44642e+000  A 4= 3.75721e-004  A 6=-6.42404e-006  A 8= 6.87871e-008  A10=-2.48868e-010  
第6面
K = 0.00000e+000  A 4= 8.46805e-005  A 6=-1.51040e-007  A 8=-2.74332e-008  
第20面
K = 0.00000e+000  A 4= 1.25887e-004  A 6= 5.80499e-006  A 8= 1.96175e-007  
第25面
K = 0.00000e+000  A 4= 9.28606e-004  A 6= 8.37906e-006  A 8=-2.44335e-008  
第27面
K = 0.00000e+000  A 4= 3.55622e-004  A 6=-2.39482e-006  A 8= 5.21421e-009  
【００８１】
各種データ
ズーム比     2.24 
広角     中間     望遠
焦点距離       3.79     6.09     8.49  
Fナンバー      4.12     4.12     4.12  
半画角（度）  59.92    50.60    42.92  
像高           6.55     7.42     7.89  
レンズ全長    61.68    53.58    51.51  
BF             3.42     3.36     3.31  
d10           14.13     4.55     1.00  
d11            3.63     2.12     0.50  
d25            2.16     5.21     8.36  
d27            1.76     1.70     1.65  
レンズ群データ
群  始面    焦点距離  
1    1     -10.53  
2   11       ∞    
3   12      12.07  
4   26      27.96  
5   28       ∞    
【００８２】
［数値データ４］
単位 mm
面データ
面番号       r        d      nd         νd
1         26.062    1.45   1.69680    55.5           
2         12.997    4.95                             
3         24.278    0.80   1.76802    49.2           
4*         7.209    4.72                             
5         68.257    0.80   1.59201    67.0           
6*         9.744    1.30                             
7         11.383    3.40   1.85478    24.8           
8         20.862   (可変)                             
9(補助絞り）∞     (可変)                             
10(開口絞り) ∞      1.87                             
11         11.964    2.20   1.67270    32.1           
12        -11.846    0.80                             
13         -9.858    0.45   1.91082    35.3           
14         18.116    0.80                             
15(補助絞り）∞      0.00                             
16*         8.286    3.60   1.49710    81.6           
17*       -13.384    0.50                             
18         25.573    0.50   1.88300    40.8           
19          6.958    5.50   1.49700    81.5           
20        -10.920  (可変)                             
21*        14.779    0.70   1.85135    40.1           
22*         9.245  (可変)                             
23*        17.185    4.50   1.53110    55.9           
24*      4297.262  (可変)                             
25          ∞       1.00   1.51633    64.1           
26          ∞       1.00                             
像面        ∞   
【００８３】
非球面データ
第4面
K =-2.44642e+000  A 4= 2.04448e-004  A 6=-1.98507e-006  A 8= 2.13161e-008  A10=-3.49872e-011  
第6面
K = 0.00000e+000  A 4= 2.61751e-004  A 6=-2.66723e-006  A 8=-1.08423e-008  
第16面
K = 0.00000e+000  A 4=-3.87689e-004  A 6= 3.77415e-006  A 8=-1.38081e-007  
第17面
K = 0.00000e+000  A 4= 1.52861e-004  A 6= 4.16820e-006  A 8=-1.27288e-007  
第21面
K = 0.00000e+000  A 4=-5.15560e-004  A 6=-6.60428e-007  
第22面
K = 0.00000e+000  A 4=-4.78918e-004  A 6=-2.31904e-006  A 8= 3.78466e-008  
第23面
K = 0.00000e+000  A 4=-1.24918e-005  A 6=-6.43777e-008  
第24面
K = 0.00000e+000  A 4= 7.21741e-005  A 6=-2.86180e-006  A 8= 1.31578e-008  
【００８４】
各種データ
ズーム比     2.26 
広角     中間     望遠
焦点距離       3.77     6.09     8.52  
Fナンバー      4.12     4.12     4.12  
半画角（度）  60.08    50.89    42.81  
像高           6.55     7.50     7.89  
レンズ全長    66.86    65.86    66.39  
BF             7.22     5.24     3.86  
d 8           14.06     7.02     1.50  
d 9            3.41     2.92     4.20  
d20            0.70     1.54     3.00  
d22            2.63    10.31    14.99  
d24            5.56     3.58     2.20  
レンズ群データ
群  始面    焦点距離  
1    1      -7.50  
2    9       ∞    
3   10      13.13  
4   21     -30.80  
5   23      32.48  
6   25       ∞    
【００８５】
［数値データ５］
単位 mm
面データ
面番号       r        d      nd         νd
1         27.314    1.45   1.69680    55.5           
2         14.883    4.50                             
3         24.805    0.80   1.76802    49.2           
4*         6.894    5.26                             
5         29.623    0.80   1.59201    67.0           
6*         9.316    2.86                             
7         10.974    3.40   1.85478    24.8           
8         17.191   (可変)                             
9(補助絞り）∞     (可変)                             
10(開口絞り) ∞      1.87                             
11          9.606    2.20   1.67270    32.1           
12        -11.702    0.80                             
13         -8.001    0.45   1.91082    35.3           
14         12.323    0.80                             
15(補助絞り）∞      0.00                             
16*        10.261    3.60   1.49710    81.6           
17*        -8.786    0.50                             
18         15.327    0.50   1.88300    40.8           
19          7.057    5.50   1.49700    81.5           
20        -12.123    0.10                             
21*       -19.935    0.70   1.85135    40.1           
22*      -199.518  (可変)                             
23*        19.544    4.50   1.53110    55.9           
24*       -89.690  (可変)                             
25          ∞       1.00   1.51633    64.1           
26          ∞       1.00                             
像面        ∞   
【００８６】
非球面データ
第4面
K =-2.44642e+000  A 4= 3.65500e-004  A 6=-3.13592e-006  A 8= 4.48417e-008  A10=-2.18770e-010  
第6面
K = 0.00000e+000  A 4= 1.65803e-004  A 6=-3.63705e-006  A 8= 2.12057e-008  
第16面
K = 0.00000e+000  A 4=-4.78745e-004  A 6= 1.83877e-006  A 8=-5.14669e-008  
第17面
K = 0.00000e+000  A 4=-2.73985e-004  A 6= 7.17016e-007  A 8=-1.28223e-007  
第21面
K = 0.00000e+000  A 4= 1.71703e-004  A 6=-3.87914e-006  
第22面
K = 0.00000e+000  A 4= 3.50686e-004  A 6=-4.35775e-006  A 8= 1.64219e-008  
第23面
K = 0.00000e+000  A 4= 1.22922e-004  A 6=-1.96727e-006  
第24面
K = 0.00000e+000  A 4= 4.38827e-004  A 6=-7.56044e-006  A 8= 2.81030e-008  
【００８７】
各種データ
ズーム比     2.26 
広角     中間     望遠
焦点距離       3.77     6.48     8.52  
Fナンバー      4.12     4.12     4.12  
半画角（度）  60.08    49.14    42.81  
像高           6.55     7.50     7.89  
レンズ全長    69.78    67.07    69.28  
BF             6.96     6.61     6.16  
d 8           13.69     5.14     1.50  
d 9            4.03     2.23     2.53  
d22            4.51    12.51    18.51  
d24            5.30     4.95     4.50  
レンズ群データ
群  始面    焦点距離  
1    1      -8.44  
2    9       ∞    
3   10      16.32  
4   23      30.65  
5   25       ∞    
【００８８】
【表１】
2019174510.tif 000003
【符号の説明】
【００８９】
Ｌ１  第１レンズ群      Ｌ２  第２レンズ群      Ｌ３  第３レンズ群
Ｌ４  第４レンズ群      ＳＰ  開口絞り
ＦＰ１  前側補助絞り（移動）      ＦＰ２  後側補助絞り
【図１】
2019174510.tif 000004
【図２】
2019174510.tif 000005
【図３】
2019174510.tif 000006
【図４】
2019174510.tif 000007
【図５】
2019174510.tif 000008
【図６】
2019174510.tif 000009
【図７】
2019174510.tif 000010
【図８】
2019174510.tif 000011
【図９】
2019174510.tif 000012
【図１０】
2019174510.tif 000013
【図１１】
2019174510.tif 000014